(57)【要約】【課題】電話の着信の相手を利用者に確認させる技術を改善すること。【解決手段】電子機器１は、筐体と、筐体の縁に沿って並ぶ複数の物理キーと、アドレス帳データ９Ｃを記憶するストレージ９と、電話通信する通信ユニット６と、コントローラ１０と、を備える。コントローラ１０は、通信ユニット６によって電話の着信を検出すると、電話の着信に関する情報及びアドレス帳データ９Ｃの情報に基づいて電話の着信が属する第１のグループを特定する。コントローラ１０は、特定した第１のグループを物理キーに割り当てる。【選択図】図１
2020120396.tif 000002
【特許請求の範囲】
【請求項１】
筐体と、
前記筐体の縁に沿って並ぶ複数の物理キーと、
アドレス帳データを記憶するストレージと、
電話通信する通信ユニットと、
コントローラと、
を備え、
前記コントローラは、
前記通信ユニットによって電話の着信を検出すると、前記電話の着信に関する情報及び前記アドレス帳データの情報に基づいて前記電話の着信が属する第１のグループを特定し、特定した前記第１のグループを前記物理キーに割り当てる、
電子機器。
【請求項２】
前記アドレス帳データの情報は、１又は複数の第２のグループを含み、
前記コントローラは、
前記第１のグループが割り当てられた前記物理キーが選択されると、前記第２のグループを選択されていない前記物理キーに割り当てる、
請求項１に記載の電子機器。
【請求項３】
前記コントローラは、
前記第１のグループが割り当てられた前記物理キーを用いて前記電話の着信を報知する処理を実行する
請求項１又は２に記載の電子機器。
【請求項４】
筐体と、
前記筐体の縁に沿って並ぶ複数の物理キーと、
アドレス帳データを記憶するストレージと、
電話通信する通信ユニットと、
を備える電子機器の制御方法であって、
前記通信ユニットによって電話の着信を検出すると、前記電話の着信に関する情報及び前記アドレス帳データの情報に基づいて前記電話の着信が属する第１のグループを特定し、特定した前記第１のグループを前記物理キーに割り当てる、
制御方法。
【請求項５】
筐体と、
前記筐体の縁に沿って並ぶ複数の物理キーと、
アドレス帳データを記憶するストレージと、
電話通信する通信ユニットと、
を備える電子機器に、
前記通信ユニットによって電話の着信を検出すると、前記電話の着信に関する情報及び前記アドレス帳データの情報に基づいて前記電話の着信が属する第１のグループを特定させ、特定した前記第１のグループを前記物理キーに割り当てさせる、
プログラム。
【発明の詳細な説明】
【技術分野】
【０００１】
本出願は、電子機器、制御方法、及びプログラムに関する。
【背景技術】
【０００２】
電子機器には、物理キー及びタッチスクリーンなどを搭載したものがある。例えば、特許文献１には、物理キー及びタッチスクリーンを介して検出した操作に応じて各種の機能を実行する電子機器が開示されている。
【先行技術文献】
【特許文献】
【０００３】
【特許文献１】国際公開第２００８／０８６３０２号
【発明の概要】
【発明が解決しようとする課題】
【０００４】
上記の電子機器では、利用者が電話の着信の相手を確認するためにはタッチスクリーンディスプレイの表示を見なければならない。上記の電子機器には、電話の着信の相手を利用者に確認させる技術に改善の余地があった。
【課題を解決するための手段】
【０００５】
態様の１つに係る電子機器は、筐体と、前記筐体の縁に沿って並ぶ複数の物理キーと、アドレス帳データを記憶するストレージと、電話通信する通信ユニットと、コントローラと、を備える。前記コントローラは、前記通信ユニットによって電話の着信を検出すると、前記電話の着信に関する情報及び前記アドレス帳データの情報に基づいて前記電話の着信が属する第１のグループを特定し、特定した前記第１のグループを前記物理キーに割り当てる。
【０００６】
態様の１つに係る制御方法は、筐体と、前記筐体の縁に沿って並ぶ複数の物理キーと、アドレス帳データを記憶するストレージと、電話通信する通信ユニットと、を備える電子機器の制御方法であって、前記通信ユニットによって電話の着信を検出すると、前記電話の着信に関する情報及び前記アドレス帳データの情報に基づいて前記電話の着信が属する第１のグループを特定し、特定した前記第１のグループを前記物理キーに割り当てる。
【０００７】
態様の１つに係るプログラムは、筐体と、前記筐体の縁に沿って並ぶ複数の物理キーと、アドレス帳データを記憶するストレージと、電話通信する通信ユニットと、を備える電子機器に、前記通信ユニットによって電話の着信を検出すると、前記電話の着信に関する情報及び前記アドレス帳データの情報に基づいて前記電話の着信が属する第１のグループを特定させ、特定した前記第１のグループを前記物理キーに割り当てさせる。
【図面の簡単な説明】
【０００８】
【図１】図１は、実施形態に係る電子機器の機能構成の一例を示すブロック図である。
【図２】図２は、実施形態に係るキーユニットの配置例を示す図である。
【図３】図３は、実施形態に係るタッチスクリーンの配置例を示す図である。
【図４】図４は、実施形態に係るタッチスクリーンの構造の一例を示す図である。
【図５】図５は、アドレス帳データの一例を示す図である。
【図６】図６は、設定データの一例を示す図である。
【図７】図７は、実施形態に係る電子機器の電話の着信の報知の一例を説明するための図である。
【図８】図８は、電子機器による電話の着信の報知に関する制御の一例の処理手順を示すフローチャートである。
【図９】図９は、設定データの他の一例を示す図である。
【図１０】図１０は、実施形態に係る電子機器の電話の着信の報知の他の一例を説明するための図である。
【図１１】図１１は、電子機器による電話の着信の報知に関する制御の他の一例の処理手順を示すフローチャートである。
【図１２】図１２は、実施形態に係る電子機器の電話の着信の報知の他の一例を説明するための図である。
【図１３】図１３は、電子機器による電話着信の相手をアドレス帳データに登録する制御の一例の処理手順を示すフローチャートである。
【図１４】図１４は、電子機器が備える複数の物理キーの他の配置例を示す図である。
【図１５】図１５は、電子機器が備える複数の物理キーの他の配置例を示す図である。
【図１６】図１６は、実施形態に係る電子機器が備える物理キーの操作面に関する他の構造例を示す図である。
【図１７】図１７は、実施形態に係る電子機器が備える物理キーの操作面に関する他の構造例を示す図である。
【図１８】図１８は、実施形態に係る電子機器の機能構成の他の例を示す図である。
【図１９】図１９は、実施形態に係る電子機器の他の構造例を示す図である。
【図２０】図２０は、実施形態に係る電子機器の他の構造例を示す図である。
【図２１】図２１は、実施形態に係る電子機器の他の構造例を示す図である。
【図２２】図２２は、実施形態に係る電子機器の他の構造例を示す図である。
【図２３】図２３は、実施形態に係る電子機器の他の構造例を示す図である。
【図２４】図２４は、実施形態に係る電子機器の他の構造例を示す図である。
【図２５】図２５は、実施形態に係る電子機器の他の構造例を示す図である。
【図２６】図２６は、実施形態に係る電子機器の他の構造例を示す図である。
【発明を実施するための形態】
【０００９】
本出願に係る電子機器、制御方法、及びプログラムを実施するための複数の実施形態を、図面を参照しつつ詳細に説明する。
【００１０】
本出願に係る電子機器は、例えば、モバイルフォン、タブレット、携帯型パソコン、メディアプレイヤ、電子書籍リーダ、ナビゲータ、ウエアラブルデバイス、又はゲーム機等の電話機能を有する機器であってよい。
【００１１】
図１は、実施形態に係る電子機器の機能構成の一例を示すブロック図である。以下の説明において、同様の構成要素について同一の符号を付すことがある。以下の説明において、重複する説明は省略することがある。
【００１２】
図１に示すように、電子機器１は、タッチスクリーンディスプレイ２と、物理キーユニット３と、照度センサ４と、近接センサ５と、通信ユニット６と、レシーバ７と、マイク８と、ストレージ９と、コントローラ１０と、スピーカ１１と、カメラ１２と、カメラ１３と、コネクタ１４と、モーションセンサ１５と、バイブレータ１６とを含む。
【００１３】
タッチスクリーンディスプレイ２は、ディスプレイ２Ａと、タッチスクリーン２Ｂとを有する。ディスプレイ２Ａ及びタッチスクリーン２Ｂは、例えば、重なって位置してよいし、並んで位置してよいし、離れて位置してよい。ディスプレイ２Ａとタッチスクリーン２Ｂとが重なって位置する場合、例えば、ディスプレイ２Ａの１ないし複数の辺は、タッチスクリーン２Ｂのいずれの辺とも沿っていなくてもよい。
【００１４】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを含む。ディスプレイ２Ａは、文字、画像、記号、及び図形等のオブジェクトを画面内に表示する。ディスプレイ２Ａが表示するオブジェクトを含む画面は、ロック画面と呼ばれる画面、ホーム画面と呼ばれる画面、アプリケーションの実行中に表示されるアプリケーション画面を含む。ホーム画面は、デスクトップ、待受画面、アイドル画面、標準画面、アプリ一覧画面又はランチャー画面と呼ばれることもある。
【００１５】
タッチスクリーン２Ｂは、タッチスクリーン２Ｂに対する指、ペン、又はスタイラスペン等の接触又は近接を検出する。タッチスクリーン２Ｂは、複数の指、ペン、又はスタイラスペン等がタッチスクリーン２Ｂに接触又は近接したときのタッチスクリーン２Ｂ上の位置を検出することができる。以下の説明において、タッチスクリーン２Ｂが検出する複数の指、ペン、及びスタイラスペン等がタッチスクリーン２Ｂに接触又は近接した位置を「検出位置」と表記する。タッチスクリーン２Ｂは、タッチスクリーン２Ｂに対する指の接触又は近接を、検出位置とともにコントローラ１０に通知する。タッチスクリーン２Ｂは、検出位置の通知をもって接触又は近接の検出をコントローラ１０に通知してよい。タッチスクリーン２Ｂが行える動作を、タッチスクリーン２Ｂを有するタッチスクリーンディスプレイ２は実行できる。言い換えると、タッチスクリーン２Ｂが行う動作は、タッチスクリーンディスプレイ２が行ってもよい。
【００１６】
コントローラ１０は、タッチスクリーン２Ｂにより検出された接触又は近接、検出位置、検出位置の変化、接触又は近接が継続した時間、接触又は近接が検出された間隔、及び接触が検出された回数の少なくとも１つに基づいて、ジェスチャの種別を判別する。コントローラ１０が行える動作を、コントローラ１０を有する電子機器１は実行できる。言い換えると、コントローラ１０が行う動作は、電子機器１が行ってもよい。ジェスチャは、指を用いて、タッチスクリーン２Ｂに対して行われる操作である。タッチスクリーン２Ｂに対して行われる操作は、タッチスクリーン２Ｂを有するタッチスクリーンディスプレイ２に行われてもよい。コントローラ１０が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００１７】
タッチスクリーン２Ｂの検出方式は、静電容量方式、抵抗膜方式、表面弾性波方式、赤外線方式、及び荷重検出方式等の任意の方式でよい。
【００１８】
物理キーユニット３は、ユーザからの操作入力を受け付ける。物理キーユニット３は、第１キーユニット３ａ、第２キーユニット３ｂ、第３キーユニット３ｃ、及びタッチスクリーン３ｄを有する。
【００１９】
図２及び図３を用いて、実施形態に係る物理キーユニット３の配置例を説明する。図２は、実施形態に係るキーユニットの配置例を示す図である。図３は、実施形態に係るタッチスクリーン３ｄの配置例を示す図である。
【００２０】
実施形態に係る電子機器１は略直方体状の筐体１ｈを備え、電子機器１の平面は図２に示すように略長方形状の形態をなす。第１キーユニット３ａは、図２に示す物理キー３ａ１、・・・、物理キー３ａ１０の合計１０個の物理キーを含んで構成される。物理キー３ａ１、・・・、物理キー３ａ１０は、電子機器１の筐体１ｈの左辺側の縁Ｆ１に沿って、図２に示すｙ軸に平行な方向に１列に並んで配置される。第２キーユニット３ｂは、図２に示す物理キー３ｂ１、・・・、物理キー３ｂ１０の合計１０個の物理キーを含んで構成される。物理キー３ｂ１、・・・、物理キー３ｂ１０は、電子機器１の筐体１ｈの右辺側の縁Ｆ２に沿って、図２に示すｙ軸に平行な方向に１列に並んで配置される。第３キーユニット３ｃは、図２に示す３個の物理キーを含んで構成される。第３キーユニット３ｃの物理キーは、電子機器１の筐体１ｈの底辺側の縁Ｆ３に沿って、図２に示すｘ軸に平行な方向に１列に並んで配置される。図２に示す第１キーユニット３ａ、第２キーユニット３ｂ、及び第３キーユニット３ｃのそれぞれを構成する物理キーの個数は一例であり、必ずしも、図２に示す例と同数の物理キーで構成されていなくてもよい。図２に示す例では、物理キー３ａ１、・・・、物理キー３ａ１０は、電子機器１の筐体１ｈの左辺側の縁Ｆ１に沿って配置されるが、タッチスクリーンディスプレイの輪郭を構成する１辺に沿った配置であってよい。同様に、物理キー３ｂ１、・・・、物理キー３ｂ１０は、タッチスクリーンディスプレイの輪郭を構成する１辺に沿った配置であってよい。同様に、第３キーユニット３ｃの物理キーは、タッチスクリーンディスプレイの輪郭を構成する１辺に沿った配置であってよい。
【００２１】
第１キーユニット３ａを構成する物理キー３ａ１、・・・、物理キー３ａ１０は、キーの押下を検出できる。第２キーユニット３ｂを構成する物理キー３ｂ１、・・・、物理キー３ｂ１０は、キーの押下を検出できる。第３キーユニット３ｃを構成する物理キーは、キーの押下を検出できる。第１キーユニット３ａ、第２キーユニット３ｂ、及び第３キーユニット３ｃを構成する各物理キーに対する押下の検出は、各物理キーが個別に行ってよい。第１キーユニット３ａ、第２キーユニット３ｂ、及び第３キーユニット３ｃを構成する各物理キーは、各物理キーの表面の質感を電子機器１の他の部材とは異なる質感を持つように構成してもよい。第１キーユニット３ａ、第２キーユニット３ｂ、及び第３キーユニット３ｃを構成する各物理キーは、各物理キーの表面の形状として、円柱型、直方体型、屋根型などの任意の形状を採用してよい。第１キーユニット３ａ、第２キーユニット３ｂ、及び第３キーユニット３ｃを構成する各物理キーは、２段階以上の押下が可能な構成であってよい。第１キーユニット３ａを構成する物理キー３ａ１、・・・、物理キー３ａ１０は、複数の物理キーの一例である。第２キーユニット３ｂを構成する物理キー３ｂ１、・・・、物理キー３ｂ１０は、複数の物理キーの一例である。
【００２２】
第１キーユニット３ａ及び第２キーユニット３ｂは、振動部３０を有する。振動部３０は、各キーユニットを構成する複数の物理キーの各々を振動させる。振動部３０は、振動を発生させるために、例えば、圧電素子、又は返信モータなどを有する。振動部３０は、コントローラ１０によって指示された物理キーを振動させる。振動部３０は、複数の物理キーの全てを振動させる対象としてもよいし、複数の物理キーのうちの一部の物理キーのみを振動させる対象としてもよい。例えば、振動部３０は、電話の着信のグループが割り当てられる物理キーのみを振動させる構成としてもよい。例えば、振動部３０は、第１キーユニット３ａと第２キーユニット３ｂとのいずれか一方に設けてもよい。
【００２３】
タッチスクリーン３ｄは、図３に示すように、タッチスクリーン３ｄａ、タッチスクリーン３ｄｂ、及びタッチスクリーン３ｄｃを含む。タッチスクリーン３ｄａは、図３に示すｙ軸に平行な方向に沿って、電子機器１の長手方向に延在するように第１キーユニット３ａの下に配置される。タッチスクリーン３ｄｂは、図３に示すｙ軸に平行な方向に沿って、電子機器１の長手方向に延在するように第２キーユニット３ｂの下に配置される。タッチスクリーン３ｄｃは、図３に示すｘ軸に平行な方向に沿って、電子機器１の短手方向に延在するように第３キーユニット３ｃの下に配置される。タッチスクリーン３ｄａは、第１キーユニット３ａに対する指などの導電性の物体の接触及び近接などを検出できる。タッチスクリーン３ｄｂは、第２キーユニット３ｂに対する指などの導電性の物体の接触及び近接などを検出できる。タッチスクリーン３ｄｃは、第３キーユニット３ｃに対する指などの導電性の物体の接触及び近接などを検出できる。
【００２４】
図４を用いて、実施形態に係るタッチスクリーン３ｄの構造の一例を説明する。図４は、実施形態に係るタッチスクリーン３ｄの構造の一例を示す図である。図４は、タッチスクリーン３ｄが備えるタッチスクリーンのうちのタッチスクリーン３ｄａの構造の一部を示している。図４に示すように、タッチスクリーン３ｄａは、複数の第１の電極４０ａ１と、複数の第２の電極４０ａ２とを含む。第１の電極４０ａ１は、タッチスクリーン３ｄａの短手方向に延在する。第２の電極４０ａ２は、タッチスクリーン３ｄａの長手方向に延在する。タッチスクリーン３ｄａは、複数の第１の電極４０ａ１と複数の第２の電極４０ａ２とを、格子状に交差させた状態で配置する。タッチスクリーン３ｄａは、複数の第１の電極４０ａ１と複数の第２の電極４０ａ２とが交差する各位置（検出点）で、第１キーユニット３ａに対する指などの接触又は近接を検出する。導電性の物体がタッチスクリーン３ｄａに接近すると、タッチスクリーン３ｄａと当該物体との間に容量結合が発生する。タッチスクリーン３ｄａは、容量結合を検出点で感知することにより、指などの導電性の物体の接触などを検出する。図４に示す例では、第１キーユニット３ａを構成する物理キー３ａ１、・・・、物理キー３ａ１０を設置するためのキーホール４０ａ３が設けられることを原因として、複数の第１の電極４０ａ１と複数の第２の電極４０ａ２とが格子状に交差されずに、不均一な状態で配置される箇所が存在するが、コントローラ１０による処理において検出点の校正を実行できる。タッチスクリーン３ｄの検出方式は、タッチスクリーン２Ｂと同様に、静電容量方式、抵抗膜方式、表面弾性波方式、赤外線方式、及び荷重検出方式等の任意の方式でよい。
【００２５】
コントローラ１０は、タッチスクリーン３ｄａの検出結果に基づいて、第１キーユニット３ａを構成する物理キー３ａ１、・・・、物理キー３ａ１０の中のいずれのキーが接触されたかを判別できる。コントローラ１０は、第１キーユニット３ａの検出結果に基づいて、第１キーユニット３ａを構成する物理キー３ａ１、・・・、物理キー３ａ１０の中のいずれのキーが押下されたかを判別できる。コントローラ１０は、タッチスクリーン３ｄｂの検出結果に基づいて、第２キーユニット３ｂを構成する物理キー３ｂ１、・・・、物理キー３ｂ１０の中のいずれのキーが接触されたかを判別できる。コントローラ１０は、第２キーユニット３ｂの検出結果に基づいて、第２キーユニット３ｂを構成する物理キー３ｂ１、・・・、物理キー３ｂ１０の中のいずれのキーが押下されたかを判別できる。コントローラ１０は、タッチスクリーン３ｄｃの検出結果に基づいて、第３キーユニット３ｃを構成する３つの物理キーの中のいずれのキーが接触されたかを判別できる。コントローラ１０は、第３キーユニット３ｃの検出結果に基づいて、第３キーユニット３ｃを構成する４つの物理キーの中のいずれのキーが押下されたかを判別できる。
【００２６】
コントローラ１０は、例えば、タッチスクリーン３ｄを介して、第１キーユニット３ａを構成する物理キーに対するタッチ、及び第２キーユニット３ｂを構成する物理キーに対するタッチの両方を検出した場合には、最新のタッチに対する処理を優先して実行できる。コントローラ１０は、第１キーユニット３ａを構成する物理キーに対するタッチ、及び第２キーユニット３ｂを構成する物理キーに対するタッチの両方を検出している状態で、タッチスクリーン２Ｂなどを介して、第１キーユニット３ａ及び第２キーユニット３ｂ以外へのタッチが検出された場合には、第１キーユニット３ａ及び第２キーユニット３ｂ以外へのタッチを無効な操作として取り扱うことができる。
【００２７】
コントローラ１０は、例えば、タッチスクリーン３ｄを介して、第１キーユニット３ａを構成する物理キー、及び第２キーユニット３ｂを構成する物理キーに対するロングタッチ、タップ、ダブルタップ、スライドなどのタッチジェスチャを検出してもよい。
【００２８】
照度センサ４は、照度を検出する。照度は、照度センサ４の測定面の単位面積に入射する光束の値である。照度センサ４は、例えば、ディスプレイ２Ａの輝度の調整に用いられる。
【００２９】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２Ａと顔とが接近したことを検出する。照度センサ４及び近接センサ５は、１つのセンサとして構成されていてもよい。照度センサ４は、近接センサとして用いられてもよい。
【００３０】
通信ユニット６は、無線により通信する。通信ユニット６によってサポートされる無線通信規格には、例えば、２Ｇ、３Ｇ、４Ｇ、５Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。ＷＰＡＮの通信規格には、例えば、ＺｉｇＢｅｅ（登録商標）が含まれる。通信ユニット６は、上述した通信規格の１つ又は複数をサポートしていてもよい。
【００３１】
レシーバ７は、コントローラ１０から送出される音信号を音として出力する。レシーバ７は、例えば、電子機器１にて再生される動画の音、音楽の音、及び通話時の相手の声を出力することができる。マイク８は、入力されるユーザの声等を音信号へ変換してコントローラ１０へ送信する。
【００３２】
ストレージ９は、プログラム及びデータを記憶する。ストレージ９は、コントローラ１０の処理結果を一時的に記憶する作業領域として利用されてもよい。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００３３】
ストレージ９に記憶されるプログラムには、フォアグランド又はバックグランドで実行されるアプリケーションと、アプリケーションの動作を支援する支援プログラム（図示略）とが含まれる。アプリケーションは、例えば、フォアグランドで実行される場合、当該アプリケーションに係る画面を、ディスプレイ２Ａに表示する。支援プログラムには、例えば、ＯＳが含まれる。プログラムは、通信ユニット６による無線通信又は非一過的な記憶媒体を介してストレージ９にインストールされてもよい。
【００３４】
ストレージ９は、制御プログラム９Ａ、文字入力制御プログラム９Ｂ、アドレス帳データ９Ｃ、及び設定データ９Ｚなどを記憶できる。制御プログラム９Ａは、各種機能を提供するに際し、電子機器１が記憶する各種アプリケーションと連携できる。制御プログラム９Ａは、通信ユニット６を介してクラウドストレージと連携し、当該クラウドストレージが記憶するファイル及びデータにアクセスしてもよい。クラウドストレージは、ストレージ９に記憶されるプログラム及びデータの一部又は全部を記憶してもよい。
【００３５】
制御プログラム９Ａは、電子機器１の各種動作に関する処理を実現するための機能をそれぞれ提供できる。制御プログラム９Ａが提供する機能には、照度センサ４の検出結果に基づいて、ディスプレイ２Ａの輝度を調整する機能が含まれる。制御プログラム９Ａが提供する機能には、近接センサ５の検出結果に基づいて、タッチスクリーン２Ｂに対する操作を無効とする機能が含まれる。制御プログラム９Ａが提供する機能には、通信ユニット６の電話の着信を報知する機能が含まれる。制御プログラム９Ａが提供する機能には、通信ユニット６、レシーバ７、及びマイク８等を制御することによって、通話を実現させる機能が含まれる。制御プログラム９Ａが提供する機能には、カメラ１２、及びカメラ１３の撮影処理を制御する機能が含まれる。制御プログラム９Ａが提供する機能には、コネクタ１４を介して接続される外部機器との間の通信を制御する機能が含まれる。制御プログラム９Ａが提供する機能には、タッチスクリーン２Ｂの検出結果に基づいて判別したジェスチャに応じて、ディスプレイ２Ａに表示されている情報を変更する等の各種制御を行う機能が含まれる。制御プログラム９Ａが提供する機能には、モーションセンサ１５の検出結果に基づいて、電子機器１を携帯する利用者の移動、停止等を検出する機能が含まれる。制御プログラム９Ａが提供する機能には、対象となる情報を音声で読み上げる機能が含まれる。制御プログラム９Ａが提供する機能には、アドレス帳データ９Ｃを管理する機能が含まれる。
【００３６】
文字入力制御プログラム９Ｂは、電子機器１において実行される文字入力を制御するための機能を提供できる。文字入力制御プログラム９Ｂは、例えば、第１キーユニット３ａを構成する複数の物理キーのいずれかのキーに対する操作を検出すると、操作が検出された物理キーに対応付けられている第２キーユニット３ｂを構成する複数の物理キーのそれぞれに、当該複数の物理キーに予め紐付けられている少なくとも１つの文字を割り当てる機能を提供できる。文字入力制御プログラム９Ｂは、対象となる情報を音声で読み上げる機能を提供できる。
【００３７】
文字入力制御プログラム９Ｂは、第１キーユニット３ａ及び第２キーユニット３ｂの物理キーに文字を割り当て、当該物理キーに対する利用者の操作に基づいた文字入力を電子機器１で実現するための機能を提供できる。
【００３８】
例えば、電子機器１は、利用者が文字入力を行う場合、第１キーユニット３ａを構成する物理キー３ａ１、・・・、物理キー３ａ１０のそれぞれに対して、あ行、か行、さ行、た行、な行、は行、ま行、や行、ら行、わ行の各行を割り当てることができる。例えば、電子機器１は、第１キーユニット３ａを構成する物理キーのうち、操作が検出された物理キーごとに、第２キーユニット３ｂを構成する物理キー３ｂ１、・・・、物理キー３ｂ５に対する文字を割り当てることができる。例えば、第１キーユニット３ａを構成する物理キー３ａ１に対する操作が検出された場合（３ａ１＝あ行）には、物理キー３ｂ１、・・・、物理キー３ｂ５のそれぞれに対して、「あ」、「い」、「う」、「え」、「お」の文字を割り当てることができる。電子機器１は、第２キーユニット３ｂを構成する物理キーに対する確定操作を検出した場合に、当該物理キーに割り当てられた文字の入力を受け付けることができる。
【００３９】
例えば、電子機器１は、第１キーユニット３ａを構成する物理キー３ａ１、・・・、物理キー３ａ９のそれぞれに対して、「ａｂｃ」、「ｄｅｆ」、「ｇｈｉ」、「ｊｋｌ」、「ｍｎｏ」、「ｐｑｒｓ」、「ｔｕｖ」、「ｗｘｙｚ」、「．／＠」の文字を割り当ててもよい。この場合、電子機器１は、物理キー３ａ１に対する操作が検出された場合には、物理キー３ｂ１、・・・、物理キー３ｂ６のそれぞれに対して、「ａ」、「ｂ」、「ｃ」、「Ａ」、「Ｂ」、「Ｃ」の文字を割り当てることができる。第１キーユニット３ａ及び第２キーユニット３ｂの物理キーには、上記以外の文字の他、改行、削除、変換などの編集機能などを割り当ててもよい。
【００４０】
アドレス帳データ９Ｃは、通話相手に関するアドレス情報を含む。アドレス情報は、例えば、名前、電話番号等の各種情報を含む。アドレス情報は、通話相手に対応したグループを割り当てることができる。例えば、アドレス情報は、電子メールアドレス、画像、ＳＮＳ（Ｓｏｃｉａｌ  Ｎｅｔｗｏｒｋ  Ｓｅｒｖｉｃｅ）等のコミュニケーションサイトでその人物が各種のメッセージを投稿する際に用いるアカウント等を含んでもよい。
【００４１】
設定データ９Ｚは、制御プログラム９Ａにより実行される処理に用いられる情報を含む。設定データ９Ｚは、電話の着信に関する情報の分類と当該種類を割り当てる物理キーとの対応関係を示す情報を含む。設定データ９Ｚは、例えば、マナーモード、サイレントモード等の設定に関する各種の情報を含む。マナーモードは、通知音、着信音を出力せず、バイブレータ１６、振動部３０等で電子機器１を振動させるモードである。サイレントモードは、ディスプレイ２Ａへの表示のみを行い、通知音、着信音を出力させず振動を発生させないモードである。
【００４２】
コントローラ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含むが、これらに限定されない。コントローラ１０は、電子機器１の動作を統括的に制御して各種の機能を実現する。
【００４３】
具体的には、コントローラ１０は、ストレージ９に記憶されているプログラムに含まれる命令を実行できる。コントローラ１０は、ストレージ９に記憶されているデータを必要に応じて参照できる。コントローラ１０は、データ及び命令に応じて機能部を制御できる。コントローラ１０は、機能部を制御することによって、各種機能を実現できる。機能部は、例えば、ディスプレイ２Ａ、通信ユニット６、マイク８、スピーカ１１、及びバイブレータ１６を含むが、これらに限定されない。コントローラ１０は、検出部の検出結果に応じて、制御を変更することがある。検出部は、例えば、タッチスクリーン２Ｂ、物理キーユニット３、照度センサ４、近接センサ５、マイク８、カメラ１２、カメラ１３、及びモーションセンサ１５を含むが、これらに限定されない。
【００４４】
コントローラ１０は、制御プログラム９Ａを実行することにより、電子機器１の各種動作に関する処理を実現できる。コントローラ１０は、制御プログラム９Ａを実行することにより、通信ユニット６の電話の着信に関する処理を実現できる。電話の着信に関する処理は、例えば、電話の着信の報知に関する処理、電話の着信に応じて通話を開始するための操作に関する処理、電話の発信に関する処理等を含む。
【００４５】
コントローラ１０は、文字入力制御プログラム９Ｂを実行することにより、電子機器１において実行される文字入力、文字編集等を制御する処理を実現できる。コントローラ１０は、例えば、文字入力制御プログラム９Ｂを実行することにより、第１キーユニット３ａを構成する複数の物理キーのいずれかのキーに対する操作を検出すると、操作が検出された物理キーに対応付けられている第２キーユニット３ｂを構成する複数の物理キーのそれぞれに、当該複数の物理キーに予め紐付けられている少なくとも１つの文字を割り当てる処理を実現できる。コントローラ１０は、例えば、文字入力制御プログラム９Ｂを実行することにより、複数の物理キーを用いた文字入力、文字編集を行う処理を実現できる。コントローラ１０は、コントローラの一例である。
【００４６】
スピーカ１１は、コントローラ１０から送出される音信号を音として出力する。スピーカ１１は、例えば、着信音、音声、音楽等を出力するために用いられる。レシーバ７及びスピーカ１１の一方が、他方の機能を兼ねてもよい。
【００４７】
カメラ１２及びカメラ１３は、撮影した画像を電気信号へ変換する。カメラ１２は、ディスプレイ２Ａに面している物体を撮影するインカメラである。カメラ１３は、ディスプレイ２Ａの反対側の面に面している物体を撮影するアウトカメラである。カメラ１２及びカメラ１３は、インカメラ及びアウトカメラを切り換えて利用可能なカメラユニットとして、機能的及び物理的に統合された状態で電子機器１に実装されてもよい。
【００４８】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００４９】
モーションセンサ１５は、電子機器１を携帯する利用者の動作を判定するための各種情報を検出できる。モーションセンサ１５は、加速度センサ、方位センサ、ジャイロスコープ、磁気センサ及び気圧センサなどを備えるセンサユニットとして構成されてよい。
【００５０】
バイブレータ１６は、電子機器１の筐体１ｈを振動させる。バイブレータ１６は、振動を発生させるために、例えば、圧電素子、又は偏心モータなどを有する。例えば、バイブレータ１６は、設定データ９Ｚのマナーモードの項目が有効となっている場合、電話の着信を報知するためにコントローラ１０の制御によって振動する。
【００５１】
電子機器１は、上記の各機能部の他、ＧＰＳ受信機を備えてもよい。ＧＰＳ受信機は、ＧＰＳ衛星からの所定の周波数帯の電波信号を受信する。ＧＰＳ受信機は、受信した電波信号の復調処理を行って、処理後の信号をコントローラ１０に送出する。ＧＰＳ受信機は、電子機器１の現在位置の演算処理をサポートする。電子機器１は、ＧＰＳ衛星以外の測位用人工衛星の信号を受信可能な受信機を備え、現在位置の演算処理を実行してもよい。電子機器１は、バッテリなど、電子機器１の機能を維持するために当然に用いられる機能部、及び電子機器１の制御を実現するために当然に用いられる制御部を実装する。
【００５２】
電子機器１は、通信ユニット６を介してクラウド上の記憶サーバにアクセスし、各種プログラム及びデータを取得してもよい。
【００５３】
図５は、アドレス帳データ９Ｃの一例を示す図である。アドレス帳データ９Ｃは、１または複数のアドレス情報を含む。アドレス情報は、識別番号、グループ名、名前、電話番号等の項目を含む。識別番号の項目には、アドレス情報を識別するための情報が設定される。グループ名の項目には、例えば、第２のグループの情報が設定される。第２のグループは、電子機器１の利用者等が割り当てたグループ、予め設定されているグループ等の情報が設定される。名前の項目には、例えば、人物、会社、店等の名称の情報が設定される。電話番号の項目には、通話相手の電話番号の情報が設定される。
【００５４】
図５に示す例では、識別番号「ＩＤ１」のアドレス情報は、グループ名の項目に「家族」、名前の項目に「京セラ太郎」、電話番号の項目に「０００−１２３４−５６７８」が設定されている。識別番号「ＩＤ２」のアドレス情報は、グループ名の項目に「友達」、名前の項目に「佐藤二郎」、電話番号の項目に「０００−２３４５−６７８９」が設定されている。識別番号「ＩＤ３」のアドレス情報は、グループ名の項目に「仕事」、名前の項目に「勤務先」、電話番号の項目に「０００−３４５６−７８９０」が設定されている。識別番号「ＩＤ４」のアドレス情報は、グループ名の項目に「店」、名前の項目に「床屋」、電話番号の項目に「０００−４５６７−８９０１」が設定されている。
【００５５】
図６は、設定データ９Ｚの一例を示す図である。設定データ９Ｚは、第１のグループと、第１のグループを割り当てる物理キーとの対応関係を示す情報を含む。第１のグループは、電話の着信に関する情報及びアドレス帳データ９Ｃの情報に基づいて、特定可能なグループを含む。電話の着信に関する情報は、例えば、電話の発信元の電話番号を示す情報、電話の発信元が非通知であることを示す情報、電話の発信元が公衆電話であることを示す情報等を含む。第１のグループは、例えば、電話の着信の種類を利用者に認識させるためのグループを含む。電子機器１は、設定データ９Ｚにおける第１のグループと物理キーとの対応関係を利用者に設定させることができる。利用者は、設定データ９Ｚの第１のグループと物理キーとの対応関係を覚えておくことで、物理キーに基づいて第１のグループを特定することができる。例えば、利用者は、電話の着信がアドレス帳データ９Ｃに登録されているか否かを知りたい場合、設定データ９Ｚの第１のグループとして、アドレス帳データ９Ｃに登録されている人等を示す情報を設定する。
【００５６】
図６に示す例では、設定データ９Ｚは、電話の着信を複数の第１のグループに分類する場合の設定データ９Ｚの一例を示している。第１のグループは、例えば、電話の着信の種類を示すグループを含む。第１のグループは、例えば、利用者が分類したい電話の着信の分類を示すグループを含む。第１のグループは、例えば、アドレス帳データ９Ｃに登録されている人、非通知電話、公衆電話、アドレス帳データ９Ｃに登録されていない人等のグループを含む。設定データ９Ｚは、アドレス帳データ９Ｃに登録されている人のグループを、第２キーユニット３ｂの物理キー３ｂ１に割り当てることを示している。設定データ９Ｚは、非通知電話のグループを、第２キーユニット３ｂの物理キー３ｂ２に割り当てることを示している。設定データ９Ｚは、公衆電話のグループを、第２キーユニット３ｂの物理キー３ｂ３に割り当てることを示している。設定データ９Ｚは、アドレス帳データ９Ｃに登録されていない人のグループを、第２キーユニット３ｂの物理キー３ｂ４に割り当てることを示している。
【００５７】
図６に示す例では、電子機器１は、４つの第１のグループを用いる場合について説明するが、これに限定されない。例えば、電子機器１は、１つの第１のグループのみを用いてもよい。この場合、設定データ９Ｚは、１つの第１のグループと、１つまたは複数の物理キーとを紐付ける。例えば、第１のグループがアドレス帳データ９Ｃに登録されている人である場合、電子機器１は、電話の着信の相手がアドレス帳データ９Ｃに登録されている人か否かを判別する。
【００５８】
図７は、実施形態に係る電子機器１の電話の着信の報知の一例を説明するための図である。図７に示す例では、設定データ９Ｚは、図６に示すように、第２キーユニット３ｂの４つの物理キーの各々と４つの第１のグループの各々とを対応付ける設定内容となっている。
【００５９】
図７に示すステップＳ１１では、電子機器１は、アドレス帳データ９Ｃに登録されている電話番号からの電話の着信を通信ユニット６によって検出している。電子機器１は、電話の着信の発信元の電話番号及びアドレス帳データ９Ｃの情報に基づいて、電話の着信が属する第１のグループを特定する。発信元の電話番号がアドレス帳データ９Ｃに登録されている場合、電子機器１は、アドレス帳データ９Ｃに登録されている人のグループを第１のグループとして特定する。この場合、電子機器１は、電話着信の電話番号とアドレス帳データ９Ｃとに基づいて、アドレス帳データ９Ｃから着信相手を特定してもよい。電子機器１は、着信中を報知する画面をタッチスクリーンディスプレイ２に表示し、着信音をスピーカ１１から出力している。着信中を報知する画面は、第１のグループを示す情報を含んでもよい。電子機器１は、設定データ９Ｚに基づいて、特定した第１のグループを第２キーユニット３ｂの物理キー３ｂ１に割り当てる。第１のグループを物理キーに割り当てるとは、例えば、当該第１のグループが予め割り当てられた物理キーに対する利用者の操作の有効／無効を切り替えることを含む。第１のグループを物理キーに割り当てるとは、例えば、電話の着信に用いる物理キーを決定することを含む。電子機器１は、第１のグループを割り当てた物理キー３ｂ１を用いた報知処理を実行する。図７に示す例では、電子機器１は、振動部３０によって物理キー３ｂ１を所定の振動パターンで振動させることで、電話の着信を着信音と物理キー３ｂ１の振動音とによって報知できる。
【００６０】
利用者は、電子機器１の着信音又は振動音によって電話の着信に気付くと、第２キーユニット３ｂの全体又は一部を指等でなぞる。例えば、利用者は、電子機器１が物理キー３ｂ１によって着信を報知していることを認識すると、当該物理キー３ｂ１に割り当てられた第１のグループからの着信であると判断することができる。例えば、利用者は、アドレス帳データ９Ｃに登録されている人の第１のグループが物理キー３ｂ１に割り当てられることを知っていれば、着信の相手がアドレス帳データ９Ｃに登録された人か否かを物理キー３ｂ１によって確認できる。よって、電子機器１は、利用者がディスプレイ２Ａを確認することなく、物理キーに基づいて着信相手を確認させることができる。電子機器１は、例えば、視覚障害の利用者であっても、物理キーを用いて電話の着信の相手を確認させることができる。電子機器１は、音声による電話の着信の報知を行わずに、物理キーを用いて報知することで、周囲の人に分からないように、電話の着信の相手を利用者に確認させることができる。
【００６１】
ステップＳ１２では、利用者は、電子機器１の物理キー３ｂ１を用いた報知により、着信の相手がアドレス帳データ９Ｃに登録された人と認識する。利用者は、電子機器１の第２キーユニット３ｂとは異なる第１キーユニット３ａの全体又は一部を指等でなぞっている。電子機器１は、物理キー３ｂ１を用いた報知処理を継続している。電子機器１は、タッチスクリーン３ｄを介して第１キーユニット３ａに対するなぞる操作を検出した場合、利用者によって物理キー３ｂ１が選択されたと判断し、第１のグループに関する情報の読み上げ音声をスピーカ１１から出力する。図７に示す例では、電話の着信の電話番号がアドレス帳データ９Ｃの識別番号「ＩＤ１」のアドレス情報に登録されているため、電子機器１は、当該アドレス情報の名前の項目に設定された「京セラ太郎」の読み上げ処理を実行する。読み上げ処理は、例えば、読み上げ対象のデータを音声に変換する処理、変換した音声をスピーカ１１から出力する処理を含む。電子機器１は、「京セラ太郎」の音声をスピーカ１１から出力する。その結果、利用者は、電子機器１のスピーカ１１から出力される音声により、着信の相手を確認することができる。
【００６２】
ステップＳ１３では、利用者は、着信の報知に用いられている物理キー３ｂ１を押下している。電子機器１は、物理キー３ｂ１を用いた報知処理を継続している。電子機器１は、報知に用いている物理キー３ｂ１に対する操作を検出すると、当該操作をオフフック操作と判定する。電子機器１は、電話の着信の報知に用いた物理キー３ｂ１によって利用者のオフフック操作を検出することができる。電子機器１は、電話の着信の報知に用いている物理キー３ｂ１によってオフフック操作を受け付けることにより、利用者がディスプレイ２Ａを確認することなく、オフフック操作をすることができる。その結果、電子機器１は、電話の着信に対する利用者の利便性を向上させることができる。
【００６３】
ステップＳ１４では、電子機器１は、通知音の出力及び物理キーの振動による電話の着信の報知を終了し、通信ユニット６を介して相手側電子機器との間の通話を開始する。電子機器１は、通話中であることを示す画面をタッチスクリーンディスプレイ２に表示する。利用者は、電子機器１を用いて電話の着信の相手と通話を行う。
【００６４】
図７に示す例では、電子機器１は、着信音及び物理キーの振動によって電話の着信を報知する場合について説明したが、これに限定されない。例えば、電子機器１は、電話の着信を着信音のみで行い、物理キーを用いた報知を、利用者による所定の操作の検出に応じて開始するようにしてもよい。所定の操作は、例えば、利用者による物理キーに対するタッチ、押下等の操作と、利用者によるキーユニットに対するなぞる操作とを含む。
【００６５】
図７に示す例では、電子機器１は、電話の着信を着信音及び物理キーの振動によって報知する場合について説明したが、これに限定されない。例えば、電子機器１は、第１のグループを割り当てた物理キーに対する操作を検出している間、出力している着信音とは異なる報知音を出力してもよい。例えば、電子機器１は、第１のグループを割り当てた物理キーに対する操作を検出している間、出力している着信音のパターンを変更してもよい。
【００６６】
例えば、電子機器１は、通信ユニット６によって非通知電話からの着信を検出した場合、設定データ９Ｚに基づいて、非通知電話の第１のグループを物理キー３ｂ２に割り当てると、当該物理キー３ｂ２を用いて電話の着信を報知する。例えば、利用者は、非通知電話を示す第１のグループが物理キー３ｂ２に割り当てられていることを知っていれば、電話の着信が非通知電話であることを物理キー３ｂ２の報知によって確認できる。その結果、電子機器１は、利用者が非通知電話の着信に誤って出てしまうことを防止できる。
【００６７】
例えば、電子機器１は、通信ユニット６によって公衆電話からの着信を検出した場合、設定データ９Ｚに基づいて、公衆電話の第１のグループを物理キー３ｂ３に割り当てると、当該物理キー３ｂ３を用いて電話の着信を報知する。例えば、利用者は、公衆電話を示す第１のグループが物理キー３ｂ３に割り当てられていることを知っていれば、電話の着信が公衆電話であることを物理キー３ｂ３の報知によって確認できる。その結果、電子機器１は、利用者が公衆電話からの着信に誤って出てしまうことを防止できる。
【００６８】
例えば、電子機器１は、通信ユニット６によってアドレス帳データ９Ｃに登録されていない人からの電話の着信を検出した場合、設定データ９Ｚに基づいて、アドレス帳データ９Ｃに登録されていない人の第１のグループを物理キー３ｂ４に割り当てる。電子機器１は、当該物理キー３ｂ４を用いて電話の着信を報知する。例えば、利用者は、アドレス帳データ９Ｃに登録されていない人を示す第１のグループが物理キー３ｂ４に割り当てられていることを知っていれば、電話の着信がアドレス帳データ９Ｃに登録されていない人であることを物理キー３ｂ４の報知によって確認できる。その結果、電子機器１は、利用者がアドレス帳データ９Ｃに登録されていない人からの電話の着信に誤って出てしまうことを防止できる。
【００６９】
例えば、電子機器１は、マナーモードが設定されている場合、バイブレータ１６を振動させるとともに、第２キーユニット３ｂの物理キーを振動させることにより、電話の着信を報知することができる。この場合、電子機器１は、バイブレータ１６を第１の振動パターンで振動させるとともに、第２キーユニット３ｂの振動部３０を第１の振動パターンとは異なる第２の振動パターンで振動させてもよい。例えば、電子機器１は、マナーモードが設定されている場合、バイブレータ１６を用いずに、電話の着信を第２キーユニット３ｂの物理キーのみで報知してもよい。
【００７０】
図８は、電子機器１による電話の着信の報知に関する制御の一例の処理手順を示すフローチャートである。図８に示す処理手順は、コントローラ１０が制御プログラム９Ａを実行することによって実現される。図８に示す処理手順は、コントローラ１０によって繰り返し実行される。
【００７１】
図８に示すように、電子機器１のコントローラ１０は、通信ユニット６を介して、電話の着信を検出しているか否かを判定する（ステップＳ１０１）。コントローラ１０は、電話の着信を検出していないと判定した場合（ステップＳ１０１でＮｏ）、図８に示す処理手順を終了させる。コントローラ１０は、電話の着信を検出していると判定した場合（ステップＳ１０１でＹｅｓ）、処理をステップＳ１０２に進める。
【００７２】
コントローラ１０は、電話の着信に関する情報及びアドレス帳データ９Ｃに基づいて、電話の着信が属する第１のグループを特定する（ステップＳ１０２）。例えば、コントローラ１０は、通信ユニット６を介して、電話の着信の発信元情報、電話番号、電話番号非通知、公衆電話等を電話の着信に関する情報として基地局等から取得する。コントローラ１０は、取得した当該情報が電話番号を含む場合、当該電話番号がアドレス帳データ９Ｃに登録されているか否かを判定する。当該電話番号がアドレス帳データ９Ｃに登録されている場合、コントローラ１０は、第１のグループがアドレス帳データ９Ｃに登録されている人と特定する。当該電話番号がアドレス帳データ９Ｃに登録されていない場合、コントローラ１０は、第１のグループがアドレス帳に登録されてない人と特定する。電話の着信が非通知電話である場合、コントローラ１０は、第１のグループが非通知電話であると特定する。電話の着信が公衆電話である場合、コントローラ１０は、第１のグループが公衆電話であると特定する。
【００７３】
コントローラ１０は、特定した第１のグループを物理キーに割り当てる（ステップＳ１０３）。例えば、コントローラ１０は、特定した第１のグループと設定データ９Ｚとを比較して物理キーを特定し、当該物理キーに第１のグループを割り当てる。
【００７４】
コントローラ１０は、第１のグループを割り当てた物理キーを用いて電話の着信を報知する報知処理を実行する（ステップＳ１０４）。例えば、コントローラ１０は、報知処理を実行することにより、報知音をスピーカ１１から出力させ、第１のグループを割り当てた物理キーを振動させる。コントローラ１０は、報知処理を継続した状態で、処理をステップＳ１０５に進める。
【００７５】
コントローラ１０は、通信ユニット６を介して、電話の着信が継続しているか否かを判定する（ステップＳ１０５）。コントローラ１０は、電話の着信が継続していないと判定した場合（ステップＳ１０５でＮｏ）、処理をステップＳ１０６に進める。コントローラ１０は、報知処理を終了させる（ステップＳ１０６）。例えば、コントローラ１０は、報知処理を終了させることにより、報知音の出力を終了させ、第１のグループを割り当てた物理キーの振動を停止させる。コントローラ１０は、報知処理を終了させると、図８に示す処理手順を終了させる。
【００７６】
コントローラ１０は、電話の着信が継続していると判定した場合（ステップＳ１０５でＹｅｓ）、処理をステップＳ１０７に進める。コントローラ１０は、第１キーユニット３ａ又は第２キーユニット３ｂ又はタッチスクリーン３ｄの検出結果等に基づいて、第１のグループを割り当てた物理キーに対する選択操作を検出したか否かを判定する（ステップＳ１０７）。選択操作は、例えば、物理キーに対する押下、ロングタッチ、タップ等の操作を含む。コントローラ１０は、第１のグループを割り当てた物理キーに対する選択操作を検出したと判定した場合（ステップＳ１０７でＹｅｓ）、処理をステップＳ１０８に進める。
【００７７】
コントローラ１０は、ステップＳ１０６と同様に、報知処理を終了させる（ステップＳ１０８）。コントローラ１０は、報知処理を終了すると、通話処理を実行させる（ステップＳ１０９）。通話処理には、例えば、通話中を示す画面をディスプレイ２Ａに表示させる処理、相手から送信される音声信号をレシーバ７等から出力する処理、利用者の音声を音声信号に変換して相手へ送信する処理、及び通話の終了を検出する処理等が含まれる。コントローラ１０は、通話処理を実行すると、図８に示す処理手順を終了させる。
【００７８】
コントローラ１０は、第１のグループを割り当てた物理キーに対する選択操作を検出していないと判定した場合（ステップＳ１０７でＮｏ）、処理をステップＳ１１０に進める。コントローラ１０は、第１キーユニット３ａ又は第２キーユニット３ｂ又はタッチスクリーン３ｄの検出結果等に基づいて、他の物理キーに対する操作を検出したか否かを判定する（ステップＳ１１０）。コントローラ１０は、他の物理キーに対する操作を検出していないと判定した場合（ステップＳ１１０でＮｏ）、処理を既に説明したステップＳ１０５に戻す。コントローラ１０は、他の物理キーに対する操作を検出したと判定した場合（ステップＳ１１０でＹｅｓ）、処理をステップＳ１１１に進める。
【００７９】
コントローラ１０は、着信相手がアドレス帳データ９Ｃに登録されているか否かを判定する（ステップＳ１１１）。コントローラ１０は、着信相手がアドレス帳データ９Ｃに登録されていると判定した場合（ステップＳ１１１でＹｅｓ）、処理をステップＳ１１２に進める。コントローラ１０は、アドレス帳データ９Ｃに基づいて着信相手の情報を読み上げる（ステップＳ１１２）。例えば、コントローラ１０は、着信相手の電話番号に基づいてアドレス情報を特定し、当該アドレス情報の名前の項目に設定された情報の音声をスピーカ１１から出力させる。コントローラ１０は、着信相手の情報を読み上げると、処理を既に説明したステップＳ１０５に戻す。
【００８０】
コントローラ１０は、着信相手がアドレス帳データ９Ｃに登録されていないと判定した場合（ステップＳ１１１でＮｏ）、処理をステップＳ１１３に進める。コントローラ１０は、物理キーに割り当てた第１のグループの情報を読み上げる（ステップＳ１１３）。例えば、コントローラ１０は、物理キーに割り当てた第１のグループの情報を示す音声をスピーカ１１から出力させる。コントローラ１０は、第１のグループの情報を読み上げると、処理を既に説明したステップＳ１０５に戻す。
【００８１】
図８に示す例では、電子機器１は、第１のグループを割り当てた物理キーとは異なる他の物理キーに対する操作を検出すると、情報を読み上げる場合について説明したが、これに限定されない。例えば、電子機器１は、読み上げ機能の有効／無効を利用者に設定させ、有効である場合のみ、情報を読み上げるようにしてもよい。
【００８２】
図９は、設定データ９Ｚの他の一例を示す図である。設定データ９Ｚは、図６に示す例と同様に、第１のグループと、第１のグループを割り当てる物理キーとの対応関係を示す情報を含む。設定データ９Ｚは、アドレス帳データ９Ｃにグループが登録されている場合に、第１のグループと第２のグループとの対応関係を示す情報を含む。設定データ９Ｚは、第２のグループと、第２のグループを割り当てる物理キーとの対応関係を示す情報を含む。利用者は、設定データ９Ｚの第２のグループと物理キーとの対応関係を覚えておくことで、物理キーに基づいて第２のグループを特定することができる。
【００８３】
図９に示す例では、設定データ９Ｚは、アドレス帳データ９Ｃに登録されている人の第２のグループには第２のグループが紐付けられ、他の第１のグループには第２のグループが紐付けられていないことを示している。第２のグループは、アドレス帳データ９Ｃに設定されている家族、友達、仕事、店のグループを含む。設定データ９Ｚは、「家族」のグループを、第１キーユニット３ａの物理キー３ａ１に割り当てることを示している。設定データ９Ｚは、「友達」のグループを、第１キーユニット３ａの物理キー３ａ２に割り当てることを示している。設定データ９Ｚは、「仕事」のグループを、第１キーユニット３ａの物理キー３ａ３に割り当てることを示している。設定データ９Ｚは、「店」のグループを、第１キーユニット３ａの物理キー３ａ４に割り当てることを示している。
【００８４】
図９に示す例では、設定データ９Ｚは、第２のグループと第１キーユニット３ａの物理キーとを対応付ける場合について説明したが、これに限定されない。設定データ９Ｚは、第１キーユニット３ａの物理キーに割り当てる情報として、アドレス帳データ９Ｃのグループ又は名前の名称を示す情報を設定できる。例えば、設定データ９Ｚは、第２のグループを複数の物理キーに対して割り当てる情報を含んでもよい。例えば、第２のグループが「家族」である場合、設定データ９Ｚは、第１キーユニット３ａの物理キー３ａ１、物理キー３ａ２、物理キー３ａ３の各々に、「家族」の文字のひらがなである「か」、「ぞ」、「く」の文字の各々を割り当てるようにしてもよい。第２のグループを複数の物理キーに割り当てる場合、電子機器１は、操作された物理キーごとに文字を読み上げることができる。その結果、利用者は、複数の物理キーに対する操作の速度を調整することにより、希望する読み上げ速度で第２のグループを確認することができる。
【００８５】
制御プログラム９Ａは、上記の機能に加え、電話の着信の報知を行う物理キーとは異なる物理キーを用いて、電話の着信に関する情報を報知する機能を提供できる。例えば、制御プログラム９Ａは、設定データ９Ｚが示す第１キーユニット３ａの物理キーを用いて、電話の着信に関するグループの情報を報知する機能を提供できる。
【００８６】
図１０は、実施形態に係る電子機器１の電話の着信の報知の他の一例を説明するための図である。図１０に示す例では、設定データ９Ｚは、図９に示すように、第２キーユニット３ｂの４つの物理キーの各々と４つの第１のグループの各々とを対応付ける設定内容となっている。設定データ９Ｚは、図９に示すように、第１キーユニット３ａの４つの物理キーの各々と４つのグループの各々とを対応付ける設定内容となっている。アドレス帳データ９Ｃの情報は、例えば、１又は複数の第２のグループを含む。図１０に示す例では、アドレス帳データ９Ｃの情報は、図５に示した４つのグループを、第２のグループとして含んでいる。制御プログラム９Ａは、第１のグループが割り当てられた物理キーが選択されると、第２のグループを選択されていない物理キーに割り当てる機能を提供できる。例えば、物理キーに対する選択操作は、仮選択操作を含んでもよい。コントローラ１０は、制御プログラム９Ａを実行することにより、第１のグループが割り当てられた物理キーが選択されると、第２のグループを選択されていない物理キーに割り当てる。
【００８７】
図１０に示すステップＳ２１では、電子機器１は、アドレス帳データ９Ｃに登録されている電話番号からの電話の着信を通信ユニット６によって検出している。電子機器１は、電話の着信の発信元の電話番号及びアドレス帳データ９Ｃの情報に基づいて、電話の着信が属する第１のグループを特定する。発信元の電話番号がアドレス帳データ９Ｃに登録されている場合、電子機器１は、アドレス帳データ９Ｃに登録されている人のグループを第１のグループとして特定する。この場合、電子機器１は、電話着信の電話番号とアドレス帳データ９Ｃとに基づいて、着信相手を特定することができる。電子機器１は、着信中を報知する画面をタッチスクリーンディスプレイ２に表示し、着信音をスピーカ１１から出力している。着信中を報知する画面は、例えば、第１のグループを示す情報を含んでもよい。電子機器１は、設定データ９Ｚに基づいて、特定した第１のグループを第２キーユニット３ｂの物理キー３ｂ１に割り当てる。電子機器１は、第１のグループを割り当てた物理キー３ｂ１を用いた報知処理を実行する。図１０に示す例では、電子機器１は、振動部３０によって物理キー３ｂ１を所定の振動パターンで振動させることで、電話の着信を着信音と物理キー３ｂ１の振動とによって報知できる。
【００８８】
利用者は、電子機器１の着信音又は振動音によって電話の着信に気付くと、第２キーユニット３ｂの全体又は一部を指等でなぞる。利用者は、電子機器１が物理キー３ｂ１によって着信を報知していることを認識すると、当該物理キー３ｂ１に割り当てられた第１のグループからの着信であると判断することができる。利用者は、アドレス帳データ９Ｃに登録されている人の第１のグループが物理キー３ｂ１に割り当てられることを知っていれば、着信の相手がアドレス帳データ９Ｃに登録された人か否かを物理キー３ｂ１によって確認できる。よって、電子機器１は、利用者がディスプレイ２Ａを確認することなく、物理キーに基づいて着信相手を確認させることができる。電子機器１は、例えば、視覚障害の利用者であっても、物理キーを用いて電話の着信の相手を把握させることができる。電子機器１は、音声等による報知を行わずに、物理キーを用いることで、周囲の人に分からないように、電話の着信の相手を利用者に確認させることができる。
【００８９】
ステップＳ２２では、利用者は、物理キー３ｂ１を用いた報知により、電話の着信の相手がアドレス帳データ９Ｃに登録された人と認識し、当該物理キー３ｂ１に対して仮選択操作している。仮選択操作は、例えば、物理キーに対するタッチ、タップ、フリック等の操作を含む。電子機器１は、物理キー３ｂ１を用いた報知処理を継続している。電子機器１は、タッチスクリーン３ｄを介して、物理キー３ｂ１に対する仮選択操作を検出する。電子機器１は、仮選択操作された物理キー３ｂ１に割り当てた第１のグループに、第２のグループが紐付けられているか否かを、設定データ９Ｚに基づいて判定する。例えば、アドレス帳データ９Ｃに登録されている人の第１のグループには、複数の第２のグループが紐付けられている。電子機器１は、第１のグループに紐付けられた複数の第２のグループのうち、電話の着信に対応した第２のグループを特定する。電子機器１は、第２のグループを特定すると、特定した第２のグループを仮選択操作されていない物理キーに割り当てる。
【００９０】
図１０に示す例では、電子機器１は、電話の着信の電話番号が「０００−３４５６−７８９０」である場合、第２のグループとしてアドレス帳データ９Ｃから「仕事」のグループと、当該第２のグループを割り当てる物理キー３ａ３とを特定する。電子機器１は、物理キー３ｂ１を用いた報知処理を継続した状態で、第２のグループを物理キー３ａ３に割り当てる。電子機器１は、第２のグループを割り当てた物理キー３ｂ３を用いた報知を行う。例えば、電子機器１は、振動部３０によって物理キー３ｂ１及び物理キー３ａ３を所定の振動パターンで振動させることで、電話の着信を着信音と２つの物理キーの振動とによって報知できる。
【００９１】
利用者は、電子機器１の物理キー３ｂ１を仮選択操作した結果、物理キー３ａ３を用いた報知が行われたことを認識すると、当該物理キー３ａ３に割り当てられた第２のグループからの着信であると判断することができる。例えば、利用者は、物理キー３ａ３に第２のグループの「仕事」のグループが割り当てられることを知っていれば、電話着信の相手が仕事関係であることを確認できる。よって、電子機器１は、利用者がディスプレイ２Ａを確認することなく、物理キーに基づいて着信相手を推測させることができる。電子機器１は、例えば、視覚障害の利用者であっても、物理キーを用いて電話の着信の相手を推測させることができる。例えば、友達からの私用の電話に出ることができない状況であっても、利用者は、着信相手が仕事関連の相手であることを認識できれば、当該電話の着信にだけ出ることができる。さらに、電子機器１は、第２のグループを割り当てる物理キーを予め定めておくことで、利用者による第２のグループの推測が可能となり、第２のグループの情報を音声で読み上げる処理を不要とすることができる。
【００９２】
ステップＳ２３では、利用者は、電話の着信の報知に用いられている物理キー３ｂ１を押下している。電子機器１は、物理キー３ｂ１を用いた報知処理を継続している。電子機器１は、報知に用いている物理キー３ｂ１に対する選択操作を検出すると、当該選択操作をオフフック操作と判定する。電子機器１は、電話の着信の報知に用いた物理キー３ｂ１または第２のグループを割り当てた物理キー３ａ３によって利用者のオフフック操作を検出することができる。
【００９３】
ステップＳ２４では、電子機器１は、通知音の出力及び物理キーの振動による電話の着信の報知を終了し、通信ユニット６を介して相手側電子機器との間の通話を開始する。電子機器１は、通話中であることを示す画面をタッチスクリーンディスプレイ２に表示する。利用者は、電子機器１を用いて電話の着信の相手と通話を行う。
【００９４】
図１０に示す例では、電子機器１は、着信音及び物理キーの振動によって電話の着信を報知する場合について説明したが、これに限定されない。例えば、電子機器１は、電話の着信を着信音のみで行い、物理キーを用いた報知を、利用者による所定の操作の検出に応じて開始するようにしてもよい。所定の操作は、例えば、利用者による物理キー又はキーユニットに対するなぞる、タッチ、押下等の操作を含む。電子機器１は、電話の着信を物理キーの振動によって報知する場合について説明したが、これに限定されない。例えば、電子機器１は、第１のグループを割り当てた物理キーに対する所定の操作を検出している間、出力している着信音とは異なる報知音を出力してもよい。例えば、電子機器１は、第１のグループを割り当てた物理キーに対する所定の操作を検出している間、出力している着信音のパターンを変更してもよい。
【００９５】
図１１は、電子機器１による電話の着信の報知に関する制御の他の一例の処理手順を示すフローチャートである。図１１に示す処理手順は、コントローラ１０が制御プログラム９Ａを実行することによって実現される。図１１に示す処理手順は、コントローラ１０によって繰り返し実行される。
【００９６】
図１１に示す例では、ステップＳ１０１からステップＳ１０９の処理は、図８に示すステップＳ１０１からステップＳ１０９の処理と同一であるため、異なる部分のみを説明し、同一部分の説明は省略する。
【００９７】
図１１に示すように、電子機器１のコントローラ１０は、ステップＳ１０１からステップＳ１０５の処理を実行する。コントローラ１０は、第１キーユニット３ａ又はタッチスクリーン３ｄの検出結果等に基づいて、第１のグループを割り当てた物理キーに対する選択操作を検出したか否かを判定する（ステップＳ１０７）。コントローラ１０は、第１のグループを割り当てた物理キーに対する選択操作を検出していないと判定した場合（ステップＳ１０７でＮｏ）、処理をステップＳ１２１に進める。
【００９８】
コントローラ１０は、第１キーユニット３ａ、第２キーユニット３ｂ及びタッチスクリーン３ｄの検出結果等に基づいて、第１のグループを割り当てた物理キーに対する仮選択操作を検出したか否かを判定する（ステップＳ１２１）。コントローラ１０は、第１のグループを割り当てた物理キーに対する仮選択操作を検出していないと判定した場合（ステップＳ１２１でＮｏ）、処理を既に説明したステップＳ１０５に戻す。
【００９９】
コントローラ１０は、第１のグループを割り当てた物理キーに対する仮選択操作を検出したと判定した場合（ステップＳ１２１でＹｅｓ）、処理をステップＳ１２２に進める。コントローラ１０は、第２のグループを仮選択操作されていない物理キーに割り当てる（ステップＳ１２２）。例えば、コントローラ１０は、第１のグループに対応した第２のグループを、設定データ９Ｚが示す物理キーに割り当てる。
【０１００】
コントローラ１０は、第２のグループを割り当てた物理キーを用いて第２のグループの情報を報知する（ステップＳ１２３）。例えば、コントローラ１０は、第２のグループを割り当てた物理キーを振動部３０によって一定時間または継続的に振動させることにより、当該第２のグループの情報を報知する。例えば、コントローラ１０は、物理キーに割り当てた第２のグループの情報を音声、音等で報知してもよい。コントローラ１０は、第２のグループの情報を報知すると、処理を既に説明したステップＳ１０５に戻す。
【０１０１】
図１２は、実施形態に係る電子機器１の電話の着信の報知の他の一例を説明するための図である。図１２に示す例では、設定データ９Ｚは、図６に示すように、第２キーユニット３ｂの４つの物理キーの各々と４つの第１のグループの各々とを対応付ける設定内容となっている。
【０１０２】
図１２に示すステップＳ３１では、電子機器１は、アドレス帳データ９Ｃに登録されていない人（電話番号）からの着信を通信ユニット６によって検出している。電子機器１は、電話の着信の発信元の電話番号及びアドレス帳データ９Ｃの情報に基づいて、電話の着信が属する第１のグループを特定する。発信元の電話番号がアドレス帳データ９Ｃに登録されていない場合、電子機器１は、アドレス帳データ９Ｃに登録されていない人を第１のグループとして特定する。電子機器１は、着信中を報知する画面をタッチスクリーンディスプレイ２に表示し、着信音をスピーカ１１から出力している。電子機器１は、設定データ９Ｚに基づいて、特定した第１のグループを第２キーユニット３ｂの物理キー３ｂ４に割り当てる。電子機器１は、第１のグループを割り当てた物理キー３ｂ４を用いた報知処理を実行する。図１２に示す例では、電子機器１は、振動部３０によって物理キー３ｂ４を所定の振動パターンで振動させることで、電話の着信を着信音と物理キー３ｂ４の振動とによって報知できる。
【０１０３】
利用者は、電子機器１の着信音又は振動音によって電話の着信に気付くと、第１キーユニット３ａの全体又は一部を指等でなぞる。利用者は、電子機器１が物理キー３ｂ４によって着信を報知していることを認識すると、当該物理キー３ｂ４に割り当てられた第１のグループからの着信であると判断することができる。利用者は、アドレス帳データ９Ｃに登録されていない人の第１のグループが物理キー３ｂ４に割り当てられていることを知っていれば、着信の相手がアドレス帳データ９Ｃに登録された人か否かを物理キー３ｂ４によって確認できる。よって、電子機器１は、利用者がディスプレイ２Ａを確認することなく、物理キーに基づいて着信相手を確認させることができる。電子機器１は、例えば、視覚障害の利用者であっても、物理キーを用いて電話の着信の相手を把握させることができる。電子機器１は、音声等による報知を行わずに、物理キーを用いることで、周囲の人に分からないように、電話の着信の相手を利用者に確認させることができる。
【０１０４】
ステップＳ３２では、利用者は、物理キー３ｂ４を用いた報知により、着信の相手がアドレス帳データ９Ｃに登録されていない人と認識した後、当該物理キー３ｂ４に対して選択操作している。電子機器１は、物理キー３ｂ４を用いた報知処理を継続している。電子機器１は、報知に用いている物理キー３ｂ４に対する操作を検出すると、当該操作をオフフック操作と判定する。電子機器１は、電話の着信の報知に用いた物理キー３ｂ４によって利用者のオフフック操作を検出することができる。
【０１０５】
ステップＳ３３では、電子機器１は、通知音の出力及び物理キーの振動による電話の着信の報知を終了し、通信ユニット６を介して相手側電子機器との間の通話を開始する。電子機器１は、通話中であることを示す画面をタッチスクリーンディスプレイ２に表示する。利用者は、電子機器１を用いて電話の着信の相手と通話を行う。
【０１０６】
ステップＳ３４では、利用者は、電話着信の相手との通話を終了している。電子機器１は、通話の終了を検出すると、通話終了を示す画面をタッチスクリーンディスプレイ２に表示する。利用者は、通話を終了した電話番号のアドレス帳データ９Ｃへの登録を希望する場合、登録を希望する第２のグループが割り当てられる物理キーに対して、仮選択操作または選択操作を行う。例えば、通話を終了した電話番号を「仕事」のグループに登録したい場合、利用者は、「仕事」のグループが割り当てられる電子機器１の物理キー３ａ３に対して、仮選択操作または選択操作を行う。電子機器１は、物理キー３ａ３に対する仮選択操作または選択操作を検出すると、通話を終了した電話番号をアドレス帳データ９Ｃに登録する処理を実行する。例えば、電子機器１は、操作された物理キー３ａ３に対する第２のグループを特定し、当該第２のグループと電話番号との情報を有するアドレス情報を作成する。電子機器１は、作成したアドレス情報を、ストレージ９のアドレス帳データ９Ｃに追加する。
【０１０７】
例えば、電子機器１は、電話番号の登録を利用者から受け付ける期間を、通話が終了してから所定の時間が経過するまでとしてもよい。所定の時間は、例えば、通話終了の画面を消去するまでの時間、通話終了から予め定められた一定時間等を含む。例えば、電子機器１は、上記文字入力制御プログラム９Ｂを実行し、利用者に物理キーを操作させて名前等の文字を入力させ、当該文字をアドレス情報に設定してもよい。
【０１０８】
ステップＳ３５では、電子機器１は、着信の電話番号をアドレス帳データ９Ｃに登録したことを示す画面をタッチスクリーンディスプレイ２に表示する。例えば、電子機器１は、電話番号をアドレス帳データ９Ｃに登録したことを、登録に用いた物理キーを用いて報知してもよい。電子機器１は、通話が終了した後、利用者が物理キーを操作するだけで、通話した電話番号をアドレス帳データ９Ｃに登録できるため、急いでいる時等の利用者の操作性を向上させることができる。その結果、利用者は、登録した電話番号から再度電話着信した場合、電子機器１が第２のグループを報知できるため、当該報知に基づいて電話着信が知っている相手か否かを判断することができる。
【０１０９】
図１２に示す例では、電子機器１は、着信音及び物理キーの振動によって電話の着信を報知する場合について説明したが、これに限定されない。例えば、電子機器１は、電話の着信を着信音のみで行い、物理キーを用いた報知を、利用者による所定の操作の検出に応じて開始するようにしてもよい。電子機器１は、電話の着信を物理キーの振動によって報知する場合について説明したが、これに限定されない。例えば、電子機器１は、第１のグループを割り当てた物理キーに対する所定の操作を検出している間、出力している着信音とは異なる報知音を出力してもよい。例えば、電子機器１は、第１のグループを割り当てた物理キーに対する所定の操作を検出している間、出力している着信音のパターンを変更してもよい。
【０１１０】
図１２に示した電話の着信の報知に関する処理は、電子機器１が図８又は図１１に示す処理手順を実行することによって実現できる。
【０１１１】
図１３は、電子機器１による電話着信の相手をアドレス帳データ９Ｃに登録する制御の一例の処理手順を示すフローチャートである。図１３に示す処理手順は、コントローラ１０が制御プログラム９Ａを実行することによって実現される。図１３に示す処理手順は、例えば、通話相手の電話番号が通知されている場合に、コントローラ１０によって実行される。
【０１１２】
図１３に示すように、電子機器１のコントローラ１０は、通信ユニット６を介して、通話が終了したか否かを判定する（ステップＳ２０１）。コントローラ１０は、通話が終了していないと判定した場合（ステップＳ２０１でＮｏ）、ステップＳ２０１の処理を繰り返す。コントローラ１０は、通話が終了していると判定した場合（ステップＳ２０１でＹｅｓ）、処理をステップＳ２０２に進める。
【０１１３】
コントローラ１０は、通話相手の電話番号がアドレス帳データ９Ｃに登録されているか否かを判定する（ステップＳ２０２）。コントローラ１０は、通話相手の電話番号がアドレス帳データ９Ｃに登録されていると判定した場合（ステップＳ２０２でＹｅｓ）、図１３に示す処理手順を終了させる。コントローラ１０は、通話相手の電話番号がアドレス帳データ９Ｃに登録されていないと判定した場合（ステップＳ２０２でＮｏ）、処理をステップＳ２０３に進める。
【０１１４】
コントローラ１０は、通話が終了してから所定の時間が経過したか否かを判定する（ステップＳ２０３）。例えば、コントローラ１０は、タイマ、通話終了時間及び現在時間等に基づいて、通話が終了してから所定の時間が経過したか否かを判定する。コントローラ１０は、通話が終了してから所定の時間が経過したと判定した場合（ステップＳ２０３でＹｅｓ）、図１３に示す処理手順を終了させる。コントローラ１０は、通話が終了してから所定の時間が経過していないと判定した場合（ステップＳ２０３でＮｏ）、処理をステップＳ２０４に進める。
【０１１５】
コントローラ１０は、第１キーユニット３ａ、タッチスクリーン３ｄ等の検出結果に基づいて、第２のグループが割り当てられる物理キーに対する操作を検出したか否かを判定する（ステップＳ２０４）。例えば、図９に示すように、第２のグループを物理キー３ａ１、３ａ２、３ａ３、３ａ４に割り当てる場合、コントローラ１０は、第２のグループが割り当てられる物理キー３ａ１、３ａ２、３ａ３、３ａ４のいずれかに対する選択操作または仮選択操作を検出したかを判定する。コントローラ１０は、第２のグループが割り当てられる物理キーに対する操作を検出していないと判定した場合（ステップＳ２０４でＮｏ）、処理を既に説明したステップＳ２０３に戻す。コントローラ１０は、第２のグループが割り当てられる物理キーに対する操作を検出したと判定した場合（ステップＳ２０４でＹｅｓ）、処理をステップＳ２０５に進める。
【０１１６】
コントローラ１０は、選択された物理キーに割り当てられる第２のグループに基づいて、通話相手の電話番号をアドレス帳データ９Ｃに登録する（ステップＳ２０５）。例えば、コントローラ１０は、通話相手の電話番号及び第２のグループを示す情報を含むアドレス情報を作成し、当該アドレス情報をアドレス帳データ９Ｃに登録する。
【０１１７】
コントローラ１０は、通話相手をアドレス帳データ９Ｃに登録したことを報知する（ステップＳ２０６）。例えば、コントローラ１０は、登録した電話番号、第２のグループ等を示す画面等をタッチスクリーンディスプレイ２に表示させてもよい。例えば、コントローラ１０は、通話相手をアドレス帳データ９Ｃに登録したことを通知する音声データをスピーカ１１から出力させてもよい。コントローラ１０は、登録の報知が終了すると、図１３に示す処理手順を終了させる。
【０１１８】
図１３に示す例では、電子機器１は、利用者の物理キーに対する操作に応じて通話相手の電話番号をアドレス帳データ９Ｃに登録する場合について説明したが、これに限定されない。例えば、電子機器１は、通話相手の電話番号の登録をするか否かを利用者に確認してもよい。
【０１１９】
本出願の開示する実施形態は、発明の要旨及び範囲を逸脱しない範囲で変更することができる。さらに、本出願の開示する実施形態及びその変形例は、適宜組み合わせることができる。例えば、上記の実施形態は、以下のように変形してもよい。
【０１２０】
例えば、図１に示した各プログラムは、複数のモジュールに分割されていてもよいし、他のプログラムと結合されていてもよい。
【０１２１】
上記の実施形態では、タッチスクリーン２Ｂを備える電子機器の例として、電子機器１について説明したが、添付の請求項に係る電子機器は、電子機器に限定されない。添付の請求項に係る電子機器は、電子機器以外の携帯電子機器であってもよい。携帯電子機器は、例えば、モバイルフォン、タブレット、携帯型パソコン、デジタルカメラ、スマートウォッチ、メディアプレイヤ、電子書籍リーダ、ナビゲータ、及びゲーム機を含むが、これに限定されない。
【０１２２】
上記の実施形態では、電子機器１は、電話の着信を報知する一例として、物理キーを振動させる場合について説明したが、これに限定されない。例えば、電子機器１は、物類キーの光や色で電話の着信を報知してもよい。この場合、電子機器１は、物理キーに発光部を設けたり、物理キーに表示部を設けたりすることで実現できる。
【０１２３】
上記の実施形態では、電子機器１は、第１キーユニット３ａ及び第２キーユニット３ｂの物理キーに電話の着信のグループを割り当てる場合について説明したが、これに限定されない。例えば、電子機器１は、第１キーユニット３ａ、第２キーユニット３ｂ、第３キーユニット３ｃのいずれかの物理キーに、電話の着信のグループを割り当ててもよい。
【０１２４】
図１４及び図１５は、電子機器１が備える複数の物理キーの他の配置例を示す図である。電子機器１は、複数の物理キーをいくつかのグループに分けて配置してもよい。図１４に示す例では、電子機器１は、物理キー３ａ３と物理キー３ａ４と間に空間５０ａを設けるとともに、物理キー３ａ６と物理キー３ａ７との間に空間５０ｂを設ける。さらに、電子機器１は、物理キー３ｂ３と物理キー３ｂ４との間に空間５０ｃを設けるとともに、物理キー３ｂ６と物理キー３ｂ７との間に空間５０ｄを設ける。これにより、電子機器１は、第１キーユニット３ａが備える複数の物理キー３ａ１〜３ａ１０を、物理キー３ａ１〜３ａ３のグループと、物理キー３ａ４〜３ａ６のグループと、物理キー３ａ７〜３ａ１０とに分けて配置するとともに、第２キーユニット３ｂが備える複数の物理キー３ｂ１〜３ｂ１０を、物理キー３ｂ１〜３ｂ３のグループと、物理キー３ｂ４〜３ｂ６のグループと、物理キー３ｂ７〜３ｂ１０とに分けて配置する。
【０１２５】
図１５に示す例では、電子機器１は、物理キー３ａ３と物理キー３ａ４との間に間仕切り６０ａを設けるとともに、物理キー３ａ６と物理キー３ａ７との間に間仕切り６０ｂを設ける。さらに、電子機器１は、物理キー３ｂ３と物理キー３ｂ４との間に間仕切り６０ｃを設けるとともに、物理キー３ｂ６と物理キー３ｂ７との間に間仕切り６０ｄを設ける。これにより、電子機器１は、第１キーユニット３ａが備える複数の物理キー３ａ１〜３ａ１０を、物理キー３ａ１〜３ａ３のグループと、物理キー３ａ４〜３ａ６のグループと、物理キー３ａ７〜３ａ１０のグループとに分けて配置するとともに、第２キーユニット３ｂが備える複数の物理キー３ｂ１〜３ｂ１０を、物理キー３ｂ１〜３ｂ３のグループと、物理キー３ｂ４〜３ｂ６のグループと、物理キー３ｂ７〜３ｂ１０のグループとに分けて配置する。
【０１２６】
図１６及び図１７は、実施形態に係る電子機器１が備える物理キーの操作面に関する他の構造例を示す図である。電子機器１が備える複数の物理キーの中から物理キー３ａ１の操作面を例示する。図１６に示す例では、電子機器１は、例えば、物理キー３ａ１の操作面（利用者が触れて操作する面）に点字パターンを表出させる６つの突起部７０ａ〜７０ｆを備える。突起部７０ａ〜７０ｆは、アクチュエーター等により表面に突出させること、及び内部に収納させることが可能な状態で設置される。６つの突起部７０ａ〜７０ｆは、出力される文字に合わせて突出する。物理キー３ａ１は、点字を読み取る場合の一般的な横方向の指の動きに合わせて、図１６に示す例から９０度回転した状態で設置させてもよい。電子機器１は、電話の着信のグループを物理キーに割り当てた場合、当該グループに対応した突出パターンで、物理キーの突出部を突出させてもよい。その結果、利用者は、物理キーの操作面を指でなぞることにより、突出部の突出パターンを認識することで、物理キーに割り当てられたグループを確認することができる。
【０１２７】
図１７に示す例では、電子機器１は、物理キー３ａ１の操作面を２つの領域８０ａ及び領域８０ｂに分けるように、物理キー３ａ１の長手方向に平行な線状の間仕切り９０を物理キー３ａ１の操作面に設ける。図１７に示す物理キー３ａ１では、電子機器１は、物理キー３ａ１の操作面の２つの領域８０ａ及び領域８０ｂのうち、どちらの領域にタッチが検出されたかによって、処理内容を変更することができる。
【０１２８】
図１８を用いて、電子機器１の機能構成の他の例を説明する。図１８は、実施形態に係る電子機器の機能構成の他の例を示す図である。上記の実施形態では、電子機器１は、物理キーユニット３を内部に備える例を説明した（図１参照）が、物理キーユニット３を外付け可能な個別のユニットとして構成することもできる。図１８に示すように、電子機器１は、通信ユニット６を介して、外付け物理キーユニット１００と通信可能な状態で接続する。外付け物理キーユニット１００は、例えば、通信ユニット１０１、メモリ１０２、物理キーユニット１０３、及びマイコン１０４を備える。物理キーユニット１０３は、第１キーユニット１０３ａ、第２キーユニット１０３ｂ、第３キーユニット１０３ｃ、及びタッチスクリーン１０３ｄを有する。電子機器１は、通信ユニット６を介して、外付け物理キーユニット１００に対する利用者の操作の情報を受信し、上記の実施形態と同様の処理を実行できる。図１８に示す例では、電子機器１は、外付け物理キーユニット１００の物理キーを用いて電話着信を報知することができる。その結果、利用者は、外付け物理キーユニット１００によって電話の着信の相手を確認することができる。
【０１２９】
図１９から図２６は、実施形態に係る電子機器１の他の構造例を示す図である。図１９及び図２０に示すように、電子機器１は、筐体１ｈの側面に、複数の物理キー３ａ１〜３ａ３を配置した構造であってもよい。例えば、電子機器１は、筐体１ｈの側面に配置した複数の物理キー３ａ１〜３ａ３に電話の着信のグループを割り当ててもよい。
【０１３０】
また、図２１に示すように、電子機器１は、利用者の操作面に複数の物理キーのみを配置した構造であってもよい。また、図２２に示すように、電子機器１は、利用者の操作面にタッチスクリーン２Ｂ及び複数の物理キーのみを配置した構造であってもよい。また、図２３に示すように、電子機器１は、利用者の操作面に複数の物理キー及びテンキー２００のみを配置した構造であってもよい。図２１から図２３に示す電子機器１は、タッチスクリーンディスプレイ２を備えない場合、文書の確認及び文字の削除を物理キーで行い、文字の入力を音声入力で行うようにしてもよい。電子機器１は、タッチスクリーンディスプレイ２を備えない場合でも、物理キーによって電話の着信の相手を利用者に確認させることができる。また、図２４及び図２５に示すように、電子機器１は、略円形状の形態をなし、内部にタッチスクリーンディスプレイ２を配置するとともに、構造体の外周部に物理キーを配置した構造体であってもよい。また、図２６に示すように、電子機器１は、略円柱状の形態をなし、上面にタッチスクリーンディスプレイ２を配置し、側面に複数の物理キーを配置した構造体であってもよい。
【０１３１】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【０１３２】
１  電子機器
２  タッチスクリーンディスプレイ
２Ａ  ディスプレイ
２Ｂ  タッチスクリーン
３  物理キーユニット
３ａ  第１キーユニット
３ｂ  第２キーユニット
３ｃ  第３キーユニット
３ｄ  タッチスクリーン
４  照度センサ
５  近接センサ
６  通信ユニット
７  レシーバ
８  マイク
９  ストレージ
９Ａ  制御プログラム
９Ｂ  文字入力制御プログラム
９Ｃ  アドレス帳データ
９Ｚ  設定データ
１０  コントローラ
１１  スピーカ
１２  カメラ
１３  カメラ
１４  コネクタ
１５  モーションセンサ
１００  外付け物理キーユニット
【図１】
2020120396.tif 000003
【図２】
2020120396.tif 000004
【図３】
2020120396.tif 000005
【図４】
2020120396.tif 000006
【図５】
2020120396.tif 000007
【図６】
2020120396.tif 000008
【図７】
2020120396.tif 000009
【図８】
2020120396.tif 000010
【図９】
2020120396.tif 000011
【図１０】
2020120396.tif 000012
【図１１】
2020120396.tif 000013
【図１２】
2020120396.tif 000014
【図１３】
2020120396.tif 000015
【図１４】
2020120396.tif 000016
【図１５】
2020120396.tif 000017
【図１６】
2020120396.tif 000018
【図１７】
2020120396.tif 000019
【図１８】
2020120396.tif 000020
【図１９】
2020120396.tif 000021
【図２０】
2020120396.tif 000022
【図２１】
2020120396.tif 000023
【図２２】
2020120396.tif 000024
【図２３】
2020120396.tif 000025
【図２４】
2020120396.tif 000026
【図２５】
2020120396.tif 000027
【図２６】
2020120396.tif 000028
【手続補正書】
【提出日】令和2年4月14日(2020.4.14)
【手続補正１】
【補正対象書類名】特許請求の範囲
【補正対象項目名】全文
【補正方法】変更
【補正の内容】
【特許請求の範囲】
【請求項１】
略直方体状の筐体と、
前記筐体の縁に沿って並ぶ複数の物理キーと、
アドレス帳データを記憶するストレージと、
電話通信する通信ユニットと、
コントローラと、
を備え、
前記コントローラは、
前記通信ユニットによって電話の着信を検出すると、前記電話の着信に関する情報及び前記アドレス帳データの情報に基づいて前記電話の着信に関する情報を前記電話の着信の種類を示す第１のグループに分類し、該分類した前記第１のグループを前記物理キーに割り当て、
前記第１のグループが割り当てられた前記物理キーが選択されると、選択された前記物理キーに割り当てられた前記第１のグループを報知する、
電子機器。
【請求項２】
略直方体状の筐体と、
前記筐体の縁に沿って並ぶ複数の物理キーと、
アドレス帳データを記憶するストレージと、
電話通信する通信ユニットと、
を備える電子機器の制御方法であって、
前記通信ユニットによって電話の着信を検出すると、前記電話の着信に関する情報及び前記アドレス帳データの情報に基づいて前記電話の着信に関する情報を前記電話の着信の種類を示す第１のグループに分類し、該分類した前記第１のグループを前記物理キーに割り当て、
前記第１のグループが割り当てられた前記物理キーが選択されると、選択された前記物理キーに割り当てられた前記第１のグループを報知する、
制御方法。
【請求項３】
略直方体状の筐体と、
前記筐体の縁に沿って並ぶ複数の物理キーと、
アドレス帳データを記憶するストレージと、
電話通信する通信ユニットと、
を備える電子機器に、
前記通信ユニットによって電話の着信を検出すると、前記電話の着信に関する情報及び前記アドレス帳データの情報に基づいて前記電話の着信に関する情報を前記電話の着信の種類を示す第１のグループに分類させ、該分類した前記第１のグループを前記物理キーに割り当てさせ、
前記第１のグループが割り当てられた前記物理キーが選択されると、選択された前記物理キーに割り当てられた前記第１のグループを報知させる、
プログラム。